(57)【特許請求の範囲】
【請求項１】
所定の方向に延びるとともに、前記所定の方向に延びる両縁部の間の距離が縮むように撓むことができる底部と、前記両縁部からそれぞれ前記底部に対して同じ側に延びるように連設された第１の側部及び第２の側部と、を有して溝形を成す通水用の部材と、
前記第１の側部と前記第２の側部とが互いに接近又は接触するように前記底部を撓ませた状態で前記部材を拘束する拘束部材と、を備え、
前記部材は、前記底部の撓みを解消しようとする付勢力を有した状態で、前記拘束部材で拘束されている、拘束体。
【請求項２】
前記底部、前記第１の側部及び前記第２の側部は互いに一部材で成っており、
前記部材は、前記底部と前記第１の側部及び前記第２の側部との境界部分に、それぞれ第１の折曲げ部及び第２の折曲げ部を有する、請求項１記載の拘束体。
【請求項３】
所定の方向に延びるとともに、前記所定の方向に延びる両縁部の間の距離が縮むように撓むことができる底部と、前記両縁部からそれぞれ前記底部に対して同じ側に延びるように連設された第１の側部及び第２の側部と、を有して溝形を成す部材と、
前記第１の側部と前記第２の側部とが互いに接近又は接触するように前記底部を撓ませた状態で前記部材を拘束する拘束部材と、を備え、
前記底部、前記第１の側部及び前記第２の側部は互いに一部材で成っており、
前記部材は、前記底部と前記第１の側部及び前記第２の側部との境界部分に、それぞれ第１の折曲げ部及び第２の折曲げ部を有し、
前記部材は、前記底部の撓みを解消しようとする付勢力を有した状態で、前記拘束部材で拘束されている、拘束体。
【請求項４】
前記部材は、前記第１の側部の外側面と、前記第２の側部の内側面とが互いに対向するように重ね合わされている、請求項１〜３のいずれか一項記載の拘束体。
【請求項５】
所定の方向に延びるとともに、前記所定の方向に延びる両縁部の間の距離が縮むように撓むことができる底部と、前記両縁部からそれぞれ前記底部に対して同じ側に延びるように連設された第１の側部及び第２の側部と、を有して溝形を成す部材と、
前記第１の側部と前記第２の側部とが互いに接近又は接触するように前記底部を撓ませた状態で前記部材を拘束する拘束部材と、を備え、
前記部材は、前記底部の撓みを解消しようとする付勢力を有した状態で、前記拘束部材で拘束されており、
前記部材は、前記第１の側部の外側面と、前記第２の側部の内側面とが互いに対向するように重ね合わされている、拘束体。
【請求項６】
前記部材は、前記第１の側部の上端部が、前記底部の前記第２の側部側の前記縁部に対向又は当接している、請求項４又は５記載の拘束体。
【請求項７】
前記第１の側部と前記第２の側部とは互いに接触している、請求項１〜６のいずれか一項記載載の拘束体。
【請求項８】
前記部材は、通水用である、請求項３〜７のいずれか一項記載載の拘束体。
【請求項９】
所定の方向に延びるとともに、前記所定の方向に延びる両縁部の間の距離が縮むように撓むことができる底部と、前記両縁部からそれぞれ前記底部に対して同じ側に延びるように連設された第１の側部及び第２の側部と、を有して溝形を成す部材の設置方法であって、
前記部材を、前記第１の側部と前記第２の側部とが互いに接近又は接触するように前記底部を撓ませた状態で、且つ、前記底部の撓みを解消しようとする付勢力を有した状態で、拘束部材を用いて拘束し、
拘束した前記部材を、前記所定の方向とは異なる方向に移動させながら、前記底部が撓んでいない状態における前記底部の幅よりも開口幅が狭い空間を通過させて設置場所に配置し、
前記設置場所において、前記拘束部材による拘束を解いて前記底部の撓みに基づく付勢力を解放する、部材の設置方法。
【請求項１０】
所定の方向に延びるとともに、前記所定の方向に延びる両縁部の間の距離が縮むように撓むことができる底部と、前記両縁部からそれぞれ前記底部に対して同じ側に延びるように連設された第１の側部及び第２の側部と、を有し、前記底部、前記第１の側部及び前記第２の側部は互いに一部材で成っており、前記底部と前記第１の側部及び前記第２の側部との境界部分にそれぞれ第１の折曲げ部及び第２の折曲げ部を有して溝形を成す部材の設置方法であって、
前記部材を、前記第１の側部と前記第２の側部とが互いに接近又は接触するように前記底部を撓ませた状態で、且つ、前記底部の撓みを解消しようとする付勢力を有した状態で、拘束部材を用いて拘束し、
拘束した前記部材を、前記底部が撓んでいない状態における前記底部の幅よりも開口幅が狭い空間を通過させて設置場所に配置し、
前記設置場所において、前記拘束部材による拘束を解いて前記底部の撓みに基づく付勢力を解放する、部材の設置方法。
【請求項１１】
所定の方向に延びるとともに、前記所定の方向に延びる両縁部の間の距離が縮むように撓むことができる底部と、前記両縁部からそれぞれ前記底部に対して同じ側に延びるように連設された第１の側部及び第２の側部と、を有して溝形を成す部材の設置方法であって、
前記部材を、前記第１の側部と前記第２の側部とが互いに接近又は接触するように前記底部を撓ませた状態で、且つ、前記底部の撓みを解消しようとする付勢力を有した状態で、且つ、前記第１の側部の外側面と、前記第２の側部の内側面とが互いに対向するように重ね合わされた状態で、拘束部材を用いて拘束し、
拘束した前記部材を、前記底部が撓んでいない状態における前記底部の幅よりも開口幅が狭い空間を通過させて設置場所に配置し、
前記設置場所において、前記拘束部材による拘束を解いて前記底部の撓みに基づく付勢力を解放する、部材の設置方法。
【請求項１２】
前記部材は、前記拘束部材で拘束されているときに、前記第１の側部の上端部が、前記底部の前記第２の側部側の前記縁部に対向又は当接している、請求項１１記載の部材の設置方法。
【請求項１３】
前記部材は、通水用である、請求項９〜１２のいずれか一項記載載の部材の設置方法。
【請求項１４】
所定の方向に延びるとともに、前記所定の方向に延びる両縁部の間の距離が縮むように撓むことができる底部と、前記両縁部からそれぞれ前記底部に対して同じ側に延びるように連設された第１の側部及び第２の側部と、を有して溝形を成す通水用の部材の設置方法であって、
前記部材を、前記第１の側部と前記第２の側部とが互いに接近又は接触するように前記底部を撓ませた状態で、且つ、前記底部の撓みを解消しようとする付勢力を有した状態で、拘束部材を用いて拘束し、
拘束した前記部材を、前記底部が撓んでいない状態における前記底部の幅よりも開口幅が狭い空間を通過させて設置場所に配置し、
前記設置場所において、前記拘束部材による拘束を解いて前記底部の撓みに基づく付勢力を解放する、部材の設置方法。
【発明の詳細な説明】
【技術分野】
【０００１】
本発明は、拘束体、及び、部材の設置方法に関する。
【背景技術】
【０００２】
従来、溝形を成す部材が知られており、生活の様々な場面で用いられている。例えば、土木・建築用途としては、路面の側溝や家屋内の排水路等、多くの用途に溝形を成す部材が供されている。
【０００３】
溝形を成す部材が設置された場所では、当該部材の幅（図２及び図３の符号Ｗ参照）よりも、設置に際して部材を進入させるべき空間の幅（図３の符号Ｌ参照）のほうが狭い場合がある。例えば、特許文献１では、向かい合う屋根の谷間に設置された谷樋に関し、谷樋の幅よりも屋根間の幅のほうが狭い例が挙げられている。この場合、破損や老朽化等によって谷樋を交換する必要が生じたときは屋根をも剥がして作業をする必要があるということが、従来の問題点として指摘されている。そこで特許文献１では、狭い屋根間の幅に対して、谷樋を幅方向に複数に分けることによって交換容易としている。
【先行技術文献】
【特許文献】
【０００４】
【特許文献１】実用新案登録第２５５６６４５号公報
【発明の概要】
【発明が解決しようとする課題】
【０００５】
しかしながら、特許文献１の谷樋は、複数の部材を組み合わせる作業が必要になるほか、部材同士を接合するための固着部材も必要になる。従って、設置がより容易な部材及びその設置方法が求められる。こうした事情は、谷樋のみならず、溝形を成す他の様々な部材についても同様である。
【０００６】
そこで本発明は、設置に際して狭い空間を通過させる必要がある場合であっても部材を容易に設置することができる拘束体、及び、部材の設置方法を提供することを目的とする。
【課題を解決するための手段】
【０００７】
本発明は、所定の方向に延びるとともに、所定の方向に延びる両縁部の間の距離が縮むように撓むことができる底部と、両縁部からそれぞれ底部に対して同じ側に延びるように連設された第１の側部及び第２の側部と、を有して溝形を成す部材と、第１の側部と第２の側部とが互いに接近又は接触するように底部を撓ませた状態で部材を拘束する拘束部材と、を備え、部材は、底部の撓みを解消しようとする付勢力を有した状態で、拘束部材で拘束されている、拘束体を提供する。
【０００８】
この拘束体は、底部が撓んだ状態で部材が拘束されているため、拘束されていない場合に比べて、所定の方向に垂直ないずれかの方向における部材幅が小さくなっている。このため、設置に際して狭い空間を通過させる必要がある場合であっても拘束体を設置場所に容易に案内して配置することができる。そして、部材は、底部の撓みを解消しようとする付勢力を有した状態で拘束されているため、設置場所に配置した後に拘束を解くことによって、部材が拘束前の形状に復元する。このように、本発明の拘束体は、設置に際して狭い空間を通過させる必要がある場合であっても部材を容易に設置することができる。
【０００９】
ここで、底部、第１の側部及び第２の側部は互いに一部材で成っており、部材は、底部と第１の側部及び第２の側部との境界部分に、それぞれ第１の折曲げ部及び第２の折曲げ部を有することが好ましい。この場合、部材の構成が簡潔であり、製造が容易である。
【００１０】
本発明の拘束体において、第１の側部と第２の側部とは互いに接触していることが好ましい。この場合、部材幅が一層小さくなるため、設置に際して狭い空間を通過させることが一層容易となる。
【００１１】
また、部材は、第１の側部の外側面と、第２の側部の内側面とが互いに対向するように重ね合わされていることが好ましい。この場合、部材幅が一層小さくなるとともに、底部と第１及び第２の側部とで囲まれる部分の容積が一層小さくなるため、拘束体の輸送コストを大きく低減することができる。
【００１２】
更に、部材は、第１の側部の上端部が、底部の第２の側部側の縁部に対向又は当接していることが好ましい。この場合、底部の撓みによる部材の変形度合いに歯止めが掛かる形となるため、部材の拘束形状が安定化する。
【００１３】
本発明は、所定の方向に延びるとともに、所定の方向に延びる両縁部の間の距離が縮むように撓むことができる底部と、両縁部からそれぞれ底部に対して同じ側に延びるように連設された第１の側部及び第２の側部と、を有して溝形を成す部材の設置方法であって、部材を、第１の側部と第２の側部とが互いに接近又は接触するように底部を撓ませた状態で、且つ、底部の撓みを解消しようとする付勢力を有した状態で、拘束部材を用いて拘束し、拘束した部材を、底部が撓んでいない状態における底部の幅よりも開口幅が狭い空間を通過させて設置場所に配置し、設置場所において、拘束部材による拘束を解いて底部の撓みに基づく付勢力を解放する、部材の設置方法を提供する。この設置方法によれば、設置に際して狭い空間を通過させる必要がある場合であっても部材を容易に設置することができる。
【発明の効果】
【００１４】
本発明によれば、設置に際して狭い空間を通過させる必要がある場合であっても部材を容易に設置することができる拘束体、及び、部材の設置方法を提供することができる。
【図面の簡単な説明】
【００１５】
【図１】本発明の一実施形態の拘束体を示す斜視図である。
【図２】谷樋の端面図である。
【図３】谷樋を設置した様子を示す図である。
【図４】谷樋の設置方法を示す図である。
【図５】他の谷樋の端面図である。
【発明を実施するための形態】
【００１６】
以下、本発明の好適な実施形態について、図面を参照しながら詳細に説明する。なお、各図において同一部分又は相当部分には同一符号を付し、重複する説明は省略する。
【００１７】
本実施形態の拘束体として、溝形を成す部材が谷樋である場合について説明する。図１に示されたとおり、拘束体１は、一方向（所定の方向）に延びるように成形された溝形を成す谷樋２を所定の形状に変形させた状態で拘束部材３で拘束したものである。拘束部材３は、谷樋２の長さ方向に亘って複数箇所に設けられている。
【００１８】
図１及び図２に示されたとおり、谷樋２は、一方向に延びる底部４と、同方向に延びる両縁部から底部４に対して同じ側にそれぞれ９０度の角度で立ち上がって延びる第１の側部５及び第２の側部６とから形成され、横断面コ字形をなしている。なお、ここで「縁部」とは、底部４の上記方向に延在する縁の端面のほか、縁の端面から底部４の面上において谷樋２の幅方向に幾分進入した幅を有しながら上記一方向に延在した、帯状の広がりをもつ領域をいう。
【００１９】
第１の側部５の先端である第１の上端部５ａ、及び、第２の側部６の先端である第２の上端部６ａはいずれも、強度の補強及び波打ち防止のために内側に折り返されている。底部４と第１の側部５及び第２の側部６との境界部分は折り曲げられて構成されており、それぞれ第１の折曲げ部５ｂ及び第２の折曲げ部６ｂを形成している。すなわち谷樋２は、一枚の板から形成されている。ここでは当該谷樋２のうち、水が流れる側を内側面、その反対側の面を外側面と呼ぶ。
【００２０】
底部４は、谷樋２の幅方向に撓むことができる。換言すれば、底部４は、上記一方向に延びた両縁部間の距離が縮むように撓むことができるように弾性を有している。この弾性によって、谷樋２は弾性変形することができる。
【００２１】
図２（ｂ）は、拘束体１における谷樋２の形状を示している。拘束体１においては、底部４が、その内側面が内側となるように、且つ断面視略半円形状（弓形の一種）となるように撓み、更に第１の側部５の外側面と、第２の側部６の内側面とが互いに対向するように重ね合わされている。ここで、第１の側部５と第２の側部６とは互いに平行となっている。そして、第１の側部５の上端部５ａが底部４の第２の側部６側の縁部（第２の折曲げ部６ｂ付近）に当接するとともに、第２の側部６の上端部６ａが第１の側部５の付け根部分に当接している。なお、底部４の幅Ｗと第１及び第２の側部５，６との長さの関係次第では、第１の側部５の上端部５ａは底部４の第２の側部６側の縁部に当接するのでなく対向していてもよく、第２の側部６の上端部６ａが第１の側部５の付け根部分に当接していなくてもよい。また、第１の側部５の外側面と第２の側部６の内側面とは、必ずしも接触している必要はなく、接近しているだけでもよく、間に薄紙等が挟まれていてもよい。
【００２２】
ここで、第１及び第２の折曲げ部５ｂ，６ｂは、谷樋２の変形前の角度（９０度）をほぼ保っている。
【００２３】
上記のように変形された谷樋２に対し、拘束部材３を複数取り付けて拘束体１が構成される。ここでは拘束部材３は環状のゴムバンドであり、谷樋２の長さ方向に亘って複数のゴムバンドが所定の間隔を空けて掛けられている。
【００２４】
拘束体１において、底部４の撓み変形は降伏点を超えない弾性変形であり、変形された谷樋２は底部４の撓みを解消しようとする付勢力を有した状態となっている。そして、拘束部材３を解いたとき、谷樋２は拘束前の形状（図２（ａ）の形状）に復元することができる。
【００２５】
谷樋２の材質としては、汎用性や耐久性の観点から金属が好ましく、特に鉄が好ましい。また、塩化ビニル、ポリカーボネート等の樹脂であってもよい。
【００２６】
谷樋２を構成する板の厚さとしては、底部の撓みやすさや弾性変形の具合の観点から、０．５ｍｍ〜１．０ｍｍが好ましく、０．６ｍｍ〜０．８ｍｍがより好ましい。
【００２７】
谷樋２の寸法の目安としては、長さが４０００ｍｍ、底部４の幅Ｗが３００ｍｍ、第１及び第２の側部５，６の高さが２００ｍｍである。これらの寸法は、谷樋２の設置場所に応じて適宜決められる。
【００２８】
図３は、間隔Ｌを空けて対向するルーフデッキ１１，１１間に谷樋２を設置した様子を示す図である。ルーフデッキ１１，１１は横断面波形を成すように部材が組み合わされて構成され、波打ちながら水平方向（図示奥行き方向）に延びている。棟から軒へ向って延びるルーフデッキ１１，１１の下方には、ルーフデッキ１１，１１に沿うようにして梁１２，１２が延びている。軒に近い部分において、梁１２，１２の上部にはＬ字形のアングル１３，１３が、Ｌ字形の平らな面が互いに対向するように取り付けられている。アングル１３，１３の相対向する平らな面には、断面Ｃ形の溝形を成すチャンネル１４，１４が、Ｃ形の開放部が互いに対向するように取り付けられている。なお、図３では各部材の接合部分におけるボルト等の締結部材は省略して描かれている。
【００２９】
チャンネル１４，１４とルーフデッキ１１，１１の下面との間には、ハット形を成すように折り曲げられた平板棒状のフラットバー１５の両端部がそれぞれ挿入されて、ルーフデッキ１１，１１間にフラットバー１５が架け渡されている。そして、フラットバー１５のハット形の内側部分には、谷樋２の設置高さを決めるための補助部材１６が、適当な高さ位置においてハット形状内を架け渡すように設置されている。
【００３０】
梁１２，１２、アングル１３，１３、チャンネル１４，１４、フラットバー１５及び補助部材１６は、図示奥行き方向に所定の間隔を空けて複数が設けられている。ここで、補助部材１６は、谷樋２が受けた水が一定方向へ流れるように、図示奥行き方向へ行くに従って、その高さ位置が徐々に高くなるように設置されている。谷樋２は、補助部材１６の上に置かれるようにして設置されている。
【００３１】
ここで、設置された谷樋２の底部４の幅Ｗと、ルーフデッキ１１，１１の間隔Ｌとを比べると、谷樋２の底部４の幅Ｗのほうが広い。このため、谷樋２をこの形状のまま外部からルーフデッキ１１，１１に設置することはできない。例えば、第１及び第２の側部５，６の高さ（長さ）がルーフデッキ１１，１１の間隔Ｌよりも短い場合に、張り出したルーフデッキ１１，１１の端部とフラットバー１５と補助部材１６とで囲われた空間（以下「設置空間」と呼ぶ。）内に谷樋２を９０度傾けて第１の側部５側から進入させたとしても、その設置空間内で谷樋２を反対方向に９０度回転させて正しい向きに直すことは困難である。
【００３２】
以下、本実施形態の谷樋２の設置方法と、拘束体１の作用効果について説明する。
【００３３】
拘束体１は、その幅（＝図２（ｂ）の図示左右方向の長さ＝弓形の弦の長さ≒第１の側部の高さ）が、拘束されていない状態の谷樋２の幅よりも小さい。また、その高さについても、拘束されていない状態の谷樋２の高さよりも小さい。従って、ルーフデッキ１１，１１間の開口幅を十分に通過することができる。
【００３４】
図４に示されたとおり、拘束体１を、谷樋２の第１及び第２の側部５，６が延びる方向が略鉛直方向となるように傾けながら、つまり第１の折曲げ部５ｂを先頭にしながら、ルーフデッキ１１，１１間に進入させる（図４（ａ））。そして、設置空間に到達した後、第１の折曲げ部５ｂのあたりを補助部材１６の端部に当接させた状態に配置する（図４（ｂ））。
【００３５】
そして、設置空間内において拘束部材を切断して、拘束を解く。すると、谷樋２が有していた付勢力が解放され、谷樋２の形状が拘束前の形状に復元する。こうして図３に示されたように谷樋２が設置空間に設置される。谷樋２をフラットバー１５又は補助部材１６に固定する必要はない。切断した拘束部材３は回収する。
【００３６】
以上のとおり、拘束体１によれば、谷樋２の設置に際して狭い空間を通過させる必要がある場合であっても、谷樋２を容易に設置空間に案内し、設置することができる。また、拘束体１の特徴に由来する作用効果として以下の点が挙げられる。
【００３７】
すなわち、谷樋２は、底部４、第１の側部５及び第２の側部６が互いに一部材で成っているため、構成が簡潔であり、製造が容易である。また、拘束体１における谷樋２は、第１の側部５の外側面と、第２の側部６の内側面とが互いに対向するように重ね合わされているため、拘束体１の幅が一層小さくなるとともに、底部４と第１及び第２の側部５，６とで囲まれる部分の容積が一層小さくなるため、拘束体１の輸送コストを大きく低減することができる。
【００３８】
更に、拘束体１における谷樋２は、第１の側部５の上端部５ａが、底部４の第２の側部６側の縁部（第２の折曲げ部６ｂ付近）に当接しているため、底部４の撓みによる谷樋２の変形度合いに歯止めが掛かり、谷樋２の拘束形状が安定化している。
【００３９】
更に、拘束体１における谷樋２は、底部４が断面視略半円形状（弓形の一種）となっているため、撓みの応力が特定の箇所に集中することがなく均等に分散し、撓み癖がつきにくい。すなわち、降伏点を超えるほどの応力が加わりにくいため、付勢力を解放したときに拘束前の形状に復元しやすい。
【００４０】
以上、本発明の好適な実施形態について説明したが、本発明は上記実施形態に何ら限定されるものではない。例えば、拘束体１における谷樋２の形状としては、谷樋２の幅が小さくなる形状であればよく、図５に示されたとおり、底部４が撓んでおり、第１及び第２の側部５，６の上端部５ａ，６ａ同士のみが接触した形状であってもよい。すなわち、第１及び第２の側部５，６は互いに平行となるように重なり合っていなくてもよい。また、底部４が撓んでおり、第１及び第２の側部５，６が互いに同じ向きに延び、これらが断面視平行に保持された形状で拘束されていてもよい。
【００４１】
上記のように、本発明では溝形を成す部材の第１及び第２の側部５，６が互いに接触又は接近していればよい。ここで「接近」とは、第１及び第２の側部５，６の両者間の距離が、部材が拘束されていない状態での距離と比べて小さくなる状態をいう。「接近」のなかでも、第１及び第２の側部５，６の任意の同じ高さ同士を結んだ距離が小さくなることが好ましい。
【００４２】
また、谷樋２は横断面コ字形であるほかに、他の形状であってもよい。例えば、第１及び第２の側部５，６が底部４から立ち上がる角度は９０度を超えていてもよく、底部４は長さ方向に垂直な方向に湾曲した形状であってもよい。
【００４３】
また、上記実施形態では底部４、第１の側部５及び第２の側部６が互いに一部材で成っている谷樋２を示したが、これらは互いに連設されていればよく、例えば第１及び第２の側部５，６が、底部４の縁部に対して溶接された態様であってもよい。すなわち、谷樋２が第１及び第２の折曲げ部５ｂ，６ｂを有しない態様であってもよい。このとき、底部４の縁部に対する第１及び第２の側部５，６の溶接は、底部４の幅方向の端部が第１及び第２の側部５，６の溶接箇所から幅方向にはみ出すようにしてもよい。
【００４４】
また、上記実施形態では、拘束体１における谷樋２の第１及び第２の側部５，６が撓んでいない様子を図２（ｂ）に示したが、これらは撓んでいてもよい。
【００４５】
また、上記実施形態では拘束部材３が谷樋２の周囲に巻かれるゴムバンドである態様を示したが、ポリエチレンテープであってもよい。また、環状でなくてもよく、付勢力の解放時に開かれる部分のみを留める態様であってもよい。
【００４６】
また、上記実施形態では溝形を成す部材として谷樋２を例示したが、他の部材、例えばコンクリート製の排水溝における内部ライニング等であってもよく、いずれの部材であっても、その設置場所の開口部が狭い場合に好適に適用することができる。
【符号の説明】
【００４７】
１…拘束体、２…谷樋、３…拘束部材、４…底部、５…第１の側部、５ａ…第１の上端部、５ｂ…第１の折曲げ部、６…第２の側部、６ａ…第２の上端部、６ｂ…第２の折曲げ部、Ｌ…間隔、Ｗ…底部の幅。
【図１】
0006491953.tif 000002
【図２】
0006491953.tif 000003
【図３】
0006491953.tif 000004
【図４】
0006491953.tif 000005
【図５】
0006491953.tif 000006